(57)【要約】【課題】本発明は、人物からなる被写体に特定の情報を呈示し、その呈示のタイミングに合わせて被写体の画像を撮影する自動撮像装置に関し、人物からなる被写体を表情豊かに撮影することを目的とする。【解決手段】人物からなる被写体を撮影する撮像手段と、前記撮像手段を制御する撮像制御手段と、前記被写体に画面を呈示する画面呈示手段と、前記画面呈示手段を制御する画面制御手段と、前記画面制御手段と前記撮像制御手段を制御することにより前記画面呈示手段に撮影用の画面が呈示されるタイミングに合わせて前記被写体を撮影するタイミング制御手段と、前記撮像手段が撮影した画像を記録する画像記録手段とを有することを特徴とする。【選択図】      図１
2005031131.tif 000002
【特許請求の範囲】
【請求項１】
人物からなる被写体を撮影する撮像手段と、
前記撮像手段を制御する撮像制御手段と、
前記被写体に画面を呈示する画面呈示手段と、
前記画面呈示手段を制御する画面制御手段と、
前記画面制御手段と前記撮像制御手段を制御することにより前記画面呈示手段に撮影用の画面が呈示されるタイミングに合わせて前記被写体を撮影するタイミング制御手段と、
前記撮像手段が撮影した画像を記録する画像記録手段と、
を有することを特徴とする自動撮像装置。
【請求項２】
人物からなる被写体を撮影する撮像手段と、
前記撮像手段を制御する撮像制御手段と、
前記被写体にジェスチャーを呈示するジェスチャー呈示手段と、
前記ジェスチャー呈示手段を制御するジェスチャー制御手段と、
前記ジェスチャー制御手段と前記撮像制御手段を制御することにより前記ジェスチャー呈示手段に撮影用のジェスチャーが呈示されるタイミングに合わせて前記被写体を撮影するタイミング制御手段と、
前記撮像手段が撮影した画像を記録する画像記録手段と、
を有することを特徴とする自動撮像装置。
【請求項３】
人物からなる被写体を撮影する撮像手段と、
前記撮像手段を制御する撮像制御手段と、
前記被写体に音声を呈示する音声呈示手段と、
前記音声呈示手段を制御する音声制御手段と、
前記音声制御手段と前記撮像制御手段を制御することにより前記音声呈示手段に撮影用の音声が呈示されるタイミングに合わせて前記被写体を撮影するタイミング制御手段と、
前記撮像手段で撮影した画像を記録する画像記録手段と、
を有することを特徴とする自動撮像装置。
【請求項４】
人物からなる被写体を撮影する撮像手段と、
前記撮像手段を制御する撮像制御手段と、
前記被写体に画面を呈示する画面呈示手段と、
前記画面呈示手段を制御する画面制御手段と、
前記被写体に音声を呈示する音声呈示手段と、
前記音声呈示手段を制御する音声制御手段と、
前記画面制御手段，前記音声制御手段および前記撮像制御手段を制御することにより前記画面呈示手段に撮影用の画面が呈示され前記音声呈示手段に撮影用の音声が呈示されるタイミングに合わせて前記被写体を撮影するタイミング制御手段と、
前記撮像手段が撮影した画像を記録する画像記録手段と、
を有することを特徴とする自動撮像装置。
【請求項５】
人物からなる被写体を撮影する撮像手段と、
前記撮像手段を制御する撮像制御手段と、
前記被写体にジェスチャーを呈示するジェスチャー呈示手段と、
前記ジェスチャー呈示手段を制御するジェスチャー制御手段と、
前記被写体に音声を呈示する音声呈示手段と、
前記音声呈示手段を制御する音声制御手段と、
前記ジェスチャー制御手段，前記音声制御手段および前記撮像制御手段を制御することにより前記ジェスチャー呈示手段に撮影用のジェスチャーが呈示され前記音声呈示手段に撮影用の音声が呈示されるタイミングに合わせて前記被写体を撮影するタイミング制御手段と、
前記撮像手段が撮影した画像を記録する画像記録手段と、
を有することを特徴とする自動撮像装置。
【請求項６】
請求項１または請求項４記載の自動撮像装置において、
前記被写体を認識する被写体認識手段と、
前記被写体認識手段で認識された前記被写体に応じて画面呈示手段に呈示する画面を選択する画面選択手段と、
を有することを特徴とする自動撮像装置。
【請求項７】
請求項２または請求項５記載の自動撮像装置において、
前記被写体を認識する被写体認識手段と、
前記被写体認識手段で認識された前記被写体に応じて前記ジェスチャー呈示手段に呈示するジェスチャーを選択するジェスチャー選択手段と、
を有することを特徴とする自動撮像装置。
【請求項８】
請求項３ないし請求項５のいずれか１項記載の自動撮像装置において、
前記被写体を認識する被写体認識手段と、
前記被写体認識手段で認識された前記被写体に応じて前記音声呈示手段に呈示する音声を選択する音声選択手段と、
を有することを特徴とする自動撮像装置。
【発明の詳細な説明】
【０００１】
【発明の属する技術分野】
本発明は、人物からなる被写体に特定の情報を呈示し、その呈示のタイミングに合わせて被写体の画像を撮影する自動撮像装置に関する。
【０００２】
【従来の技術】
従来、カメラ等の撮像装置において、セルフタイマー撮影時に、光の点減により人物からなる被写体にシャッタータイミングを知らせる表示装置を備えたものが知られている。しかしながら、このような撮像装置では、被写体に呈示されるのはタイミング情報のみで、撮像装置から被写体の感情に働き掛けるような情報を呈示するものではない。
【０００３】
一方、近時、自らが自律的に移動して構図を決定し、撮影を行う次世代の撮影機器が提案されている。
このような撮影機器として、例えば、ワシントン大学で開発されたフォトグラファーロボット「ルイス」（Ｌｅｗｉｓ  ｔｈｅ  Ｒｏｂｏｔｉｃ  Ｐｈｏｔｏｇｒａｐｈｅｒ）が知られている。
この「ルイス」によれば、実際に人々が行き交う室内空間を舞台とし、そこで活動する人々の自然な表情を適切な構図で自動撮影することができる。
【０００４】
【非特許文献１】
Ｌｅｗｉｓ  ｔｈｅ  Ｒｏｂｏｔｉｃ  Ｐｈｏｔｏｇｒａｐｈｅｒ  （平成１５年５月３０日検索）
インターネット  ｈｔｔｐ：／／ｗｗｗ．ｃｓ．ｗｕｓｔｌ．ｅｄｕ／￣ｌｅｗｉｓ／
【０００５】
【発明が解決しようとする課題】
しかしながら、上述した、セルフタイマー撮影時にシャッタータイミングを表示する撮像装置は、人物からなる被写体に撮影のタイミングを知らせる以上の働き掛けを行うものではなく、そのタイミングに合わせて被写体の感情に働き掛けることにより、より良い表情を得るような効用はない。また、上述した「ルイス」に関しても同様なことがいえる。
【０００６】
一方、例えば、子供を自動撮影する際に、子供が喜ぶ瞬間の表情を的確に自動撮影することができる自動撮像装置が要望されている。
本発明は、かかる要望を満足するためになされたもので、人物からなる被写体を表情豊かに撮影することができる自動撮像装置を提供することを目的とする。
【０００７】
【課題を解決するための手段】
請求項１の自動撮像装置は、人物からなる被写体を撮影する撮像手段と、前記撮像手段を制御する撮像制御手段と、前記被写体に画面を呈示する画面呈示手段と、前記画面呈示手段を制御する画面制御手段と、前記画面制御手段と前記撮像制御手段を制御することにより前記画面呈示手段に撮影用の画面が呈示されるタイミングに合わせて前記被写体を撮影するタイミング制御手段と、前記撮像手段が撮影した画像を記録する画像記録手段とを有することを特徴とする。
【０００８】
請求項２の自動撮像装置は、人物からなる被写体を撮影する撮像手段と、前記撮像手段を制御する撮像制御手段と、前記被写体にジェスチャーを呈示するジェスチャー呈示手段と、前記ジェスチャー呈示手段を制御するジェスチャー制御手段と、前記ジェスチャー制御手段と前記撮像制御手段を制御することにより前記ジェスチャー呈示手段に撮影用のジェスチャーが呈示されるタイミングに合わせて前記被写体を撮影するタイミング制御手段と、前記撮像手段が撮影した画像を記録する画像記録手段とを有することを特徴とする。
【０００９】
請求項３の自動撮像装置は、人物からなる被写体を撮影する撮像手段と、前記撮像手段を制御する撮像制御手段と、前記被写体に音声を呈示する音声呈示手段と、前記音声呈示手段を制御する音声制御手段と、前記音声制御手段と前記撮像制御手段を制御することにより前記音声呈示手段に撮影用の音声が呈示されるタイミングに合わせて前記被写体を撮影するタイミング制御手段と、前記撮像手段で撮影した画像を記録する画像記録手段とを有することを特徴とする。
【００１０】
請求項４の自動撮像装置は、人物からなる被写体を撮影する撮像手段と、前記撮像手段を制御する撮像制御手段と、前記被写体に画面を呈示する画面呈示手段と、前記画面呈示手段を制御する画面制御手段と、前記被写体に音声を呈示する音声呈示手段と、前記音声呈示手段を制御する音声制御手段と、前記画面制御手段，前記音声制御手段および前記撮像制御手段を制御することにより前記画面呈示手段に撮影用の画面が呈示され前記音声呈示手段に撮影用の音声が呈示されるタイミングに合わせて前記被写体を撮影するタイミング制御手段と、前記撮像手段が撮影した画像を記録する画像記録手段とを有することを特徴とする。
【００１１】
請求項５の自動撮像装置は、人物からなる被写体を撮影する撮像手段と、前記撮像手段を制御する撮像制御手段と、前記被写体にジェスチャーを呈示するジェスチャー呈示手段と、前記ジェスチャー呈示手段を制御するジェスチャー制御手段と、前記被写体に音声を呈示する音声呈示手段と、前記音声呈示手段を制御する音声制御手段と、前記ジェスチャー制御手段，前記音声制御手段および前記撮像制御手段を制御することにより前記ジェスチャー呈示手段に撮影用のジェスチャーが呈示され前記音声呈示手段に撮影用の音声が呈示されるタイミングに合わせて前記被写体を撮影するタイミング制御手段と、前記撮像手段が撮影した画像を記録する画像記録手段とを有することを特徴とする。
【００１２】
請求項６の自動撮像装置は、請求項１または請求項４記載の自動撮像装置において、前記被写体を認識する被写体認識手段と、前記被写体認識手段で認識された前記被写体に応じて画面呈示手段に呈示する画面を選択する画面選択手段とを有することを特徴とする。
請求項７の自動撮像装置は、請求項２または請求項５記載の自動撮像装置において、前記被写体を認識する被写体認識手段と、前記被写体認識手段で認識された前記被写体に応じて前記ジェスチャー呈示手段に呈示するジェスチャーを選択するジェスチャー選択手段とを有することを特徴とする。
【００１３】
請求項８の自動撮像装置は、請求項３ないし請求項５のいずれか１項記載の自動撮像装置において、前記被写体を認識する被写体認識手段と、前記被写体認識手段で認識された前記被写体に応じて前記音声呈示手段に呈示する音声を選択する音声選択手段とを有することを特徴とする。
【００１４】
【発明の実施の形態】
以下、本発明の実施形態を、図面を用いて詳細に説明する。
【００１５】
（第１の実施形態）
図１は、本発明の自動撮像装置の第１の実施形態を示している。
この実施形態の自動撮像装置は、撮像手段１１，画面呈示手段１３，音声呈示手段１５および入力手段１７を備えている。
この実施形態では、撮像手段１１は、デジタルカメラからなり、人物からなる被写体（被撮影者）Ｍを撮影する。
【００１６】
画面呈示手段１３は、ＣＲＴ，液晶等のディスプレイからなり、例えば、子供を撮影する際には、被写体Ｍを喜ばせるようなアニメ等を表示する。
音声呈示手段１５は、スピーカからなり、「はいチーズ」、「５，４，３，２，１」等の音声を被写体Ｍに呈示する。
【００１７】
入力手段１７は、例えば、操作ボタン１９からなり、撮影を希望する者が、この操作ボタン１９を押すことにより撮影作業が開始される。
図２は、この実施形態の自動撮像装置を示すブロック図である。
マイクロコンピュータ２１は、ＣＰＵとメモリ、およびそれを動作させるソフトウエアから構成されている。
【００１８】
この実施形態では、マイクロコンピュータ２１は、画面制御手段２３，音声制御手段２５，タイミング制御手段２７，撮像制御手段２９および人物抽出手段３１を有している。
画面制御手段２３は、画面呈示手段１３を制御して、画面呈示手段１３に、電源オン時用の画面，撮影準備用の画面および撮影用の画面を呈示する。
【００１９】
電源オン時用の画面は、電源をオンした時に表示される画面であり、例えば、画面の全体が青色で表示される。
撮影準備用の画面は、撮影準備を促すための画面であり、例えば、画面の全体が赤色で表示される。
撮影用の画面は、例えば、被写体Ｍを喜ばせるような画面であり、例えば、画面にアニメが表示される。
【００２０】
音声制御手段２５は、音声呈示手段１５を制御して、音声呈示手段１５に、撮影準備用の音声および撮影用の音声を呈示する。
撮影準備用の音声は、撮影準備を促すための音声であり、例えば、「写しますよ準備して下さい」との音声からなる。
撮影用の音声は、例えば、被写体Ｍの表情をほぐすような音声であり、例えば、「はいチーズ」との音声からなる。
【００２１】
撮像制御手段２９は、撮像手段１１を制御して撮影を行う。この撮像手段１１で撮影された画像は、半導体メモリ、ハードディスク等の画像記録手段３３に記録される。
タイミング制御手段２７は、画面制御手段２３，音声制御手段２５および撮像制御手段２９を制御することにより、画面呈示手段１３に撮影用の画面が呈示され、かつ、音声呈示手段１５に撮影用の音声が呈示されるタイミングに合わせて被写体Ｍを撮影する。
【００２２】
人物抽出手段３１は、撮像手段１１が撮影しようとする撮影画面に人物が写っているか否かを抽出する。この抽出は、撮像手段１１が撮影しようとしている撮影画面の像を撮像手段１１から入力し、公知の抽出方法により人物を抽出することにより行われる。
図３は、この実施形態の自動撮像装置の動作を示すフローチャートである。
【００２３】
このフローは、装置への電源のオンによりスタートされる。電源のオンにより、画面呈示手段１３の全面に青色が呈示される。そして、必要により、画面呈示手段１３に「撮影しませんか？操作ボタンを押して下さい」等の表示が行われる。
次に、ステップＳ１において、操作ボタン１９が押されたか否かが判断される。
操作ボタン１９が押された場合には、ステップＳ２において、撮像手段１１が撮影しようとする撮影画面に人物が写っているか否かが判断される。
【００２４】
この判断は、人物抽出手段３１により、撮像手段１１が撮影しようとする撮影画面に人物が写っているか否かを抽出することにより行われる。
そして、撮像手段１１が撮影しようとする撮影画面に人物が写っている場合には、ステップＳ３において、画面呈示手段１３に、撮影準備を促すための撮影準備用の画面が呈示される。また、音声呈示手段１５により、撮影準備を促すための撮影準備用の音声が呈示される。
【００２５】
すなわち、画面呈示手段１３の画面の全体が赤色で表示され、また、「写しますよ準備して下さい」との音声が音声呈示手段１５からアナウンスされる。
次に、ステップＳ４において、画面呈示手段１３に、撮影用の画面が呈示される。また、音声呈示手段１５により、撮影用の音声が呈示される。
【００２６】
すなわち、画面呈示手段１３の画面にアニメが表示され、また、「はいチーズ」との音声が音声呈示手段１５からアナウンスされる。
次に、ステップＳ５において撮影が行われる。
この撮影は、タイミング制御手段２７により、画面制御手段２３，音声制御手段２５および撮像制御手段２９を制御し、画面呈示手段１３に撮影用の画面が呈示され、かつ、音声呈示手段１５に撮影用の音声が呈示されるタイミングに合わせて被写体Ｍを撮影することにより行われる。
【００２７】
すなわち、例えば、撮影用の画面と、撮影用の音声とを同時に呈示した後、例えば、「はいチーズ」の音声の終了から０．１秒後に撮像手段１１のシャッターをきることにより撮影が行われる。
そして、撮影後には、操作ボタン１９が押されるまで待機する。
上述した自動撮像装置では、例えば、子供を自動撮影する際に、撮像装置がシャッタータイミングの直前に子供が喜ぶような画面を画面呈示手段１３に呈示し、被写体Ｍの感情への働き掛けとシャッタータイミングの呈示を行い、それを見た子供が喜ぶ瞬間の表情を自動的に撮影することが可能になるため、人物からなる被写体Ｍを表情豊かに撮影することができる。
【００２８】
また、例えば、子供を自動撮影する際に、撮像装置がシャッタータイミングの直前に子供が喜ぶような音声を音声呈示手段１５に呈示し、被写体Ｍの感情への働き掛けとシャッタータイミングの呈示を行い、それを聞いた子供が喜ぶ瞬間の表情を自動的に撮影することが可能になるため、人物からなる被写体Ｍを表情豊かに撮影することができる。
【００２９】
そして、この実施形態では、画面と音声を同時に呈示するようにしたので、その効果を増大することができる。
なお、この実施形態では、画面と音声を同時に呈示するようにした例について説明したが、本発明はかかる実施形態に限定されるものではなく、例えば、画面または音声のいずれか一方のみを呈示するようにしても良い。
【００３０】
（第２の実施形態）
図４は、本発明の自動撮像装置の第２の実施形態を示している。
この実施形態の自動撮像装置は、撮像手段１１，ジェスチャー呈示手段３５，音声呈示手段１５および入力手段１７を備えている。
この実施形態では、撮像手段１１は、デジタルカメラからなり、被写体Ｍを撮影する。
【００３１】
ジェスチャー呈示手段３５は、装置本体３７の両側に回転可能に配置される二本の腕部材３９を備えている。この腕部材３９は、図示しないモータおよび駆動手段により、人間と同様な腕振り動作を可能に構成されている。また、腕部材３９は、安全のため、スポンジ等の軟質材料により形成されている。そして、例えば、子供を撮影する際には、被写体Ｍを喜ばせるように腕部材３９をジェスチャー動作する。
【００３２】
音声呈示手段１５は、スピーカからなり、「はいチーズ」、「５，４，３，２，１」等の音声を被写体Ｍに呈示する。
入力手段１７は、例えば、操作ボタン１９からなり、撮影を希望する者が、この操作ボタン１９を押すことにより撮影作業が開始される。
図５は、この実施形態の自動撮像装置を示すブロック図である。
【００３３】
マイクロコンピュータ２１は、ＣＰＵとメモリ、およびそれを動作させるソフトウエアから構成されている。
この実施形態では、マイクロコンピュータ２１は、ジェスチャー制御手段４１，音声制御手段２５，タイミング制御手段２７，撮像制御手段２９および人物抽出手段３１を有している。
【００３４】
ジェスチャー制御手段４１は、ジェスチャー呈示手段３５を制御して、ジェスチャー呈示手段３５に、電源オン時用のジェスチャー，撮影準備用のジェスチャーおよび撮影用のジェスチャーを呈示する。
電源オン時用のジェスチャーは、電源をオンした時のジェスチャーであり、例えば、左右の腕部材３９が下に向けて位置される。
【００３５】
撮影準備用のジェスチャーは、撮影準備を促すためのジェスチャーであり、例えば、左右の腕部材３９が上に向けて位置される。
撮影用のジェスチャーは、例えば、被写体Ｍを喜ばせるようなジェスチャーであり、例えば、左右の腕部材３９が上に向けて位置される撮影準備用のジェスチャーから、片方の腕部材３９のみが下方に向けて回転される。
【００３６】
音声制御手段２５は、音声呈示手段１５を制御して、音声呈示手段１５に、撮影準備用の音声および撮影用の音声を呈示する。
撮影準備用の音声は、撮影準備を促すための音声であり、例えば、「写しますよ準備して下さい」との音声からなる。
撮影用の音声は、例えば、被写体Ｍの表情をほぐすような音声であり、例えば、「はいチーズ」との音声からなる。
【００３７】
撮像制御手段２９は、撮像手段１１を制御して撮影を行う。この撮像手段１１で撮影された画像は、画像記録手段３３に記録される。
タイミング制御手段２７は、ジェスチャー制御手段４１，音声制御手段２５および撮像制御手段２９を制御することにより、ジェスチャー呈示手段３５に撮影用のジェスチャーが呈示され、かつ、音声呈示手段１５に撮影用の音声が呈示されるタイミングに合わせて被写体Ｍを撮影する。
【００３８】
人物抽出手段３１は、撮像手段１１が撮影しようとする撮影画面に人物が写っているか否かを抽出する。この抽出は、撮像手段１１が撮影しようとしている撮影画面の像を撮像手段１１から入力し、公知の抽出方法により人物を抽出することにより行われる。
【００３９】
図６は、この実施形態の自動撮像装置の動作を示すフローチャートである。
このフローは、装置への電源のオンによりスタートされる。電源のオンにより、ジェスチャー呈示手段３５の両方の腕部材３９が下方に向けて位置される。そして、必要により、音声呈示手段１５により「撮影しませんか？操作ボタンを押して下さい」等の音声の呈示が所定時間毎に繰り返して行われる。
【００４０】
先ず、ステップＳ１において、操作ボタン１９が押されたか否かが判断される。
操作ボタン１９が押された場合には、ステップＳ２において、撮像手段１１が撮影しようとする撮影画面に人物が写っているか否かが判断される。
この判断は、人物抽出手段３１により、撮像手段１１が撮影しようとする撮影画面に人物が写っているか否かを抽出することにより行われる。
【００４１】
そして、撮像手段１１が撮影しようとする撮影画面に人物が写っている場合には、ステップＳ３において、ジェスチャー呈示手段３５に、撮影準備を促すための撮影準備用のジェスチャーが呈示される。また、音声呈示手段１５により、撮影準備を促すための撮影準備用の音声が呈示される。
すなわち、ジェスチャー呈示手段３５の両方の腕部材３９が上に向けて位置され、また、「写しますよ準備して下さい」との音声が音声呈示手段１５からアナウンスされる。
【００４２】
次に、ステップＳ４において、ジェスチャー呈示手段３５に、撮影用のジェスチャーが呈示される。また、音声呈示手段１５により、撮影用の音声が呈示される。
すなわち、ジェスチャー呈示手段３５の片方の腕部材３９のみが下方に向けて移動され、また、「はいチーズ」との音声が音声呈示手段１５からアナウンスされる。
【００４３】
次に、ステップＳ５において撮影が行われる。
この撮影は、タイミング制御手段２７により、ジェスチャー制御手段４１，音声制御手段２５および撮像制御手段２９を制御し、ジェスチャー呈示手段３５に撮影用のジェスチャーが呈示され、かつ、音声呈示手段１５に撮影用の音声が呈示されるタイミングに合わせて被写体Ｍを撮影することにより行われる。
【００４４】
すなわち、例えば、撮影用のジェスチャーと、撮影用の音声とを同時に呈示した後、例えば、「はいチーズ」の音声の終了から０．１秒後に撮像手段１１のシャッターをきることにより撮影が行われる。
そして、撮影後には、操作ボタン１９が押されるまで待機する。
上述した自動撮像装置では、例えば、子供を自動撮影する際に、撮像装置がシャッタータイミングの直前に子供が喜ぶようなジェスチャーをジェスチャー呈示手段３５に呈示し、被写体Ｍの感情への働き掛けとシャッタータイミングの呈示を行い、それを見た子供が喜ぶ瞬間の表情を自動的に撮影することが可能になるため、人物からなる被写体Ｍを表情豊かに撮影することができる。
【００４５】
そして、この実施形態では、ジェスチャーと音声を同時に呈示するようにしたので、その効果を増大することができる。
なお、この実施形態では、ジェスチャーと音声を同時に呈示するようにした例について説明したが、本発明はかかる実施形態に限定されるものではなく、例えば、ジェスチャーまたは音声のいずれか一方のみを呈示するようにしても良い。
【００４６】
（第３の実施形態）
図７は、本発明の自動撮像装置の第３の実施形態を示すブロック図である。
この実施形態では、マイクロコンピュータ２１は、被写体認識手段４３および画面選択手段４５を有している。
被写体認識手段４３は、被写体Ｍの属性である年齢、例えば、大人と子供の区別、性別等を認識する。
【００４７】
この認識は、撮像手段１１の視野内にある被写体画像を画像処理すること、あるいは被写体Ｍが携帯する属性情報が記録されたＩＣタグのようなメモリの情報を自動撮像装置内の読取装置によって認識することにより行われる。
そして、画面選択手段４５は、画面制御手段２３に記録されている複数パターンのアニメの中から、被写体認識手段４３で認識された属性に合ったアニメを選択し、画面呈示手段１３の撮影用の画面として、画面制御手段２３を介して画面呈示手段１３に表示させる。
【００４８】
すなわち、画面選択手段４５は、被写体認識手段４３の認識に基づいて、例えば、男の子に合ったアニメ、女の子に合ったアニメ、若者に合ったアニメ、老人にあったアニメなどを自動的に選択し、画面呈示手段１３の撮影用の画面として画面呈示手段１３に表示させる。
この実施形態の自動撮像装置では、大人と子供の区別、性別等により、画面呈示手段１３に呈示される画面を適切に選択し、被写体Ｍの属性に合わせた働き掛けを行うことが可能になるため、人物からなる被写体Ｍをより表情豊かに撮影することができる。
【００４９】
（第４の実施形態）
図８は、本発明の自動撮像装置の第３の実施形態を示すブロック図である。
この実施形態では、マイクロコンピュータ２１は、被写体認識手段４３およびジェスチャー選択手段４７を有している。
被写体認識手段４３は、被写体Ｍの属性である年齢、例えば、大人と子供の区別、性別等を認識する。
【００５０】
この認識は、第３の実施形態と同様にして行われる。
そして、ジェスチャー選択手段４７は、ジェスチャー制御手段４１に記録されている複数パターンのジェスチャー（身振り）の中から、被写体認識手段４３で認識された属性に合ったジェスチャーを選択し、ジェスチャー呈示手段３５の撮影用のジェスチャーとして、ジェスチャー制御手段４１を介してジェスチャー呈示手段３５に表示させる。
【００５１】
すなわち、ジェスチャー選択手段４７は、被写体認識手段４３の認識に基づいて、例えば、男の子に合ったジェスチャー、女の子に合ったジェスチャー、若者に合ったジェスチャー、老人にあったジェスチャーなどを自動的に選択し、ジェスチャー呈示手段３５の撮影用のジェスチャーとしてジェスチャー呈示手段３５に表示させる。
【００５２】
この実施形態の自動撮像装置では、大人と子供の区別、性別等により、ジェスチャー呈示手段３５に呈示されるジェスチャーを適切に選択し、被写体Ｍの属性に合わせた働き掛けを行うことが可能になるため、人物からなる被写体Ｍをより表情豊かに撮影することができる。
（第５の実施形態）
図９は、本発明の自動撮像装置の第３の実施形態を示すブロック図である。
【００５３】
この実施形態では、マイクロコンピュータ２１は、被写体認識手段４３および音声選択手段４９を有している。
被写体認識手段４３は、被写体Ｍの属性である年齢、例えば、大人と子供の区別、性別等を認識する。
この認識は、第３の実施形態と同様にして行われる。
【００５４】
そして、音声選択手段４９は、音声制御手段２５に記録されている複数パターンの音声の中から、被写体認識手段４３で認識された属性に合った音声（発話）を選択し、音声呈示手段１５の撮影用の音声として、音声制御手段２５を介して音声呈示手段１５に表示させる。
すなわち、音声選択手段４９は、被写体認識手段４３の認識に基づいて、例えば、男の子に合った音声、女の子に合った音声、若者に合った音声、老人にあった音声などを自動的に選択し、音声呈示手段１５の撮影用の音声として音声呈示手段１５に表示させる。
【００５５】
この実施形態の自動撮像装置では、大人と子供の区別、性別等により、音声呈示手段１５に呈示される音声を適切に選択し、被写体Ｍの属性に合わせた働き掛けを行うことが可能になるため、人物からなる被写体Ｍをより表情豊かに撮影することができる。
なお、上述した実施形態では、カメラにデジタルカメラを使用した例について説明したが、本発明はかかる実施形態に限定されるものではなく、例えば、フィルムカメラを使用しても良く、フィルムカメラを使用する場合には、撮影された画像がフィルムからなる画面記録手段に記録されることになる。
【００５６】
また、上述した実施形態では、入力手段１７を操作ボタン１９により構成した例について説明したが、本発明はかかる実施形態に限定されるものではなく、入力手段１７に、例えば、タッチパネル，音声入力手段等の手段を使用しても良い。
さらに、上述した実施形態では、撮像手段１１が撮影しようとする撮影画面に人物が写っているか否かを単に判断した例について説明したが、本発明はかかる実施形態に限定されるものではなく、例えば、撮像手段１１が撮影しようとする撮影画面に人物が写っていない場合には、撮像手段１１を移動して積極的に被写体Ｍを探し、被写体Ｍが写る位置で撮影を行うようにしても良い。
【００５７】
【発明の効果】
以上述べたように、本発明の自動撮像装置によれば、人物からなる被写体Ｍを表情豊かに撮影することができる。
【図面の簡単な説明】
【図１】本発明の自動撮像装置の第１の実施形態を示す説明図である。
【図２】図１の自動撮像装置を示すブロック図である。
【図３】図１の自動撮像装置の動作を示すフローチャートである。
【図４】本発明の自動撮像装置の第２の実施形態を示す説明図である。
【図５】図４の自動撮像装置を示すブロック図である。
【図６】図４の自動撮像装置の動作を示すフローチャートである。
【図７】本発明の自動撮像装置の第３の実施形態を示す説明図である。
【図８】本発明の自動撮像装置の第４の実施形態を示す説明図である。
【図９】本発明の自動撮像装置の第５の実施形態を示す説明図である。
【符号の説明】
１１  撮像手段
１３  画面呈示手段
１５  音声呈示手段
２３  画面制御手段
２５  音声制御手段
２７  タイミング制御手段
２９  撮像制御手段
３３  画像記録手段
３５  ジェスチャー呈示手段
４１  ジェスチャー制御手段
４３  被写体認識手段
４５  画面選択手段
４７  ジェスチャー選択手段
４９  音声選択手段
Ｍ  被写体
【図１】
2005031131.tif 000003
【図２】
2005031131.tif 000004
【図３】
2005031131.tif 000005
【図４】
2005031131.tif 000006
【図５】
2005031131.tif 000007
【図６】
2005031131.tif 000008
【図７】
2005031131.tif 000009
【図８】
2005031131.tif 000010
【図９】
2005031131.tif 000011